Podtech/llm-jp-corpus-v4-ja_patent huggingface dataset:
【手続補正書】
【提出日】平成27年1月30日(2015.1.30)
【手続補正１】
【補正対象書類名】明細書
【補正対象項目名】発明の名称
【補正方法】変更
【補正の内容】
【発明の名称】２−（アルコキシまたはアルコキシカルボニル）−４−メチル−６−（２，６，６−トリメチルシクロヘキサ−１エニル）ヘキサ−２−エン酸化合物、その調製およびその使用
【手続補正２】
【補正対象書類名】特許請求の範囲
【補正対象項目名】全文
【補正方法】変更
【補正の内容】
【特許請求の範囲】
【請求項１】
式１
【化１】
2014502964.tif 000001
式中、
Ｒは水素、アルキルまたは置換されたアルキル、アリールまたは置換されたアリールである、で表される化合物。
【請求項２】
Ｒが、水素、メチルまたはエチルである、請求項１に記載の化合物。
【請求項３】
有機触媒または有機触媒混合物の存在下、溶媒または溶媒系において、
式５
【化２】
2014502964.tif 000002
で表されるアルデヒドをマロン酸と縮合する工程を含む、式１で表される化合物の調製方法。
【請求項４】
有機触媒が、カルボン酸およびポリカルボン酸のアンモニウム塩ならびにアンモニア、第一級アミン、第二級アミン、ポリアミン、アミノ酸およびペプチドからなる群から選択されるアミン成分からなる群から選択される、請求項３に記載の方法。
【請求項５】
溶媒または溶媒系が、水と共沸混合物を形成し、これが蒸留によって反応混合物から継続して除去される、請求項３または４に記載の方法。
【請求項６】
縮合反応が、約６０〜９５℃で行われる、請求項３〜５のいずれか一項に記載の方法。
【請求項７】
溶媒が、シクロヘキサン、ベンゼン、トルエン、イソプロパノールおよびｔｅｒｔ−ブタノールから選択される、請求項３〜６のいずれか一項に記載の方法。
【請求項８】
式４
【化３】
2014502964.tif 000003
で表されるエステルの調製における式１で表される化合物の使用であって、前記エステルが式１で表される化合物の脱炭酸によって形成され、Ｒはアルキルまたは置換されたアルキル、アリールまたは置換されたアリールである、前記使用。
【請求項９】
脱炭酸が、極性非プロトン溶媒中、７５〜８５℃で行われる、請求項８に記載の使用。
【請求項１０】
式１で表される化合物が、流動条件下、５０〜３５０℃で熱的に脱炭酸される、請求項８に記載の使用。
【請求項１１】
式６
【化４】
2014502964.tif 000004
で表される酸の調製における式１、式中Ｒは水素である、で表される化合物の使用であって、式１で表される化合物が、式ＭＸｎで表される無機塩または有機カチオン／ハロゲン化物アニオンペアの存在下、５０〜２５０℃の温度で、および極性非プロトン性溶媒中で脱炭酸され、ここでＸはハロゲン化物であり、およびｎは１〜３の整数であり、およびＭＸｎが無機塩である場合、ＭはＩ、ＩＩまたはＩＩＩ族の金属であり、あるいはＭＸｎが有機カチオン／ハロゲン化物アニオンペアである場合、Ｍはピリジニウム、ピペリジニウム、ピロリジニウム、イミダゾリウム、アンモニウム、ホスホニウムおよびスルホニウムからなる群から選択される、前記使用。
【請求項１２】
金属塩が、ＬｉＣｌおよび／またはＭｇＣｌ２であり、および溶媒がＮＭＰである、請求項１１に記載の使用。
【請求項１３】
化合物２の調製における式１で表される化合物の使用であって、式１で表される化合物の請求項８〜１２のいずれか一項に規定されるプロセス工程による式４で表されるエステルまたは酸６への脱炭酸、およびその後式７で表される二環式エステルを生成するためのエステル４の環化、またはSclareolide８を生成するための酸６の環化、および化合物２を得るための二環式エステル７またはSclareolide８のシーケンスの還元／環化によって、化合物２が形成される、前記使用。
【化５】
2014502964.tif 000005
【請求項１４】
式中、Ｒは水素である、式１
【化６】
2014502964.tif 000006
で表される化合物から得られる式６
【化７】
2014502964.tif 000007
で表される酸を少なくとも８３：１７で表されるＥ／Ｚ比で含む、異性体混合物。
【請求項１５】
式４
【化８】
2014502964.tif 000008
式中、Ｒはアルキルまたは置換されたアルキル、アリールまたは置換されたアリールであり、側鎖二重結合が、Ｅ立体配置でβ，γ−位にある、
で表されるエステルまたは式６
【化９】
2014502964.tif 000009
式中、側鎖二重結合が、Ｅ立体配置でβ，γ−位にある、
で表される酸を介して、式１
【化１０】
2014502964.tif 000010
式中、Ｒはアルキルまたは置換されたアルキル、アリールまたは置換されたアリールである、
で表される化合物１から得られる、式２
【化１１】
2014502964.tif 000011
で表される化合物を含む組成物であって、９０％以上の選択性で嗅覚的に興味深い、式２で表される化合物の異性体を有する、前記組成物。
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
毒素を投与する方法であって、
必要とする領域に毒素を含む組成物を局所的に塗布することと、
除去剤を用いて前記領域から過剰の毒素を除去することと、
不活化剤を用いて前記除去した過剰の毒素を不活化することと
を含む、前記方法。
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
管壁を有するとともに管端部にフランジ（６）を備える、薄壁管または杭のような管状部材（１１）をクランプするためのクランプ装置（１）であって、当該クランプ装置により前記フランジのみをクランプした状態で前記管状部材を吊り上げるためのクランプ装置（１）であって、
前記フランジと係合して前記フランジをクランプするための少なくとも２つのクランプ手段（２）と、
前記管状部材を吊り上げている間に前記少なくとも２つのクランプ手段の相互の位置を維持するために前記少なくとも２つのクランプ手段を連結固定するクランプ装置フレーム（１０）であって、前記管状部材を吊り上げるときに前記管状部材が略垂直姿勢で垂れ下がるように前記管状部材を前記フランジでクランプするために、前記少なくとも２つのクランプ手段が当該クランプ装置の仮想外周に沿って配置されて分布される、クランプ装置フレーム（１０）と
を備え、
前記少なくとも２つのクランプ手段のそれぞれが、
前記フランジの上面と係合するための上側クランプシュー（１８）を備える第１のクランプ部材（３）と、
前記第１のクランプ部材とヒンジ結合されるとともに、前記フランジの下面と係合するための下側クランプシュー（１６）を備える第２のクランプ部材（４）であって、前記第１のクランプ部材および前記第２のクランプ部材が、前記上側および下側クランプシュー間で前記フランジを受けるための開位置と、前記上側および下側クランプシュー間で前記フランジをクランプするための閉位置との間をヒンジ軸線（８）周りで蝶番式に相互に動くことができる、第２のクランプ部材（４）と、
当該クランプ装置を吊り上げケーブルまたはリンクプレートのような吊り上げ要素と結合するとともに、当該クランプ装置に吊り上げ力（Ｆ）を加えるための結合部材（５）であって、前記結合部材が前記第１のクランプ部材（３）に設けられ、前記ヒンジ軸線（８）が、前記吊り上げ力が前記結合部材に加えられるときにクランプ力を前記フランジに加えるために、前記結合部材（５）と前記上側クランプシュー（１８）との間に配置される、結合部材（５）と
を備え、
前記結合部材と前記上側および下側クランプシューとが、当該クランプ装置を用いて前記管状部材を吊り上げるときに前記フランジが前記管状部材の壁との移行部分で実質的に引張応力のみを受けるように、前記ヒンジ軸線に対して配置される、クランプ装置（１）。
【請求項２】
前記第２のクランプ部材が、前記管状部材の曲げ応力を減少させるために前記上側クランプシューよりも前記管壁の方に近い位置で前記フランジを前記下側クランプシューと係合させるべく、前記上側クランプシューを通り過ぎて延びる、請求項１に記載のクランプ装置。
【請求項３】
前記フランジが前記管壁との移行部分（１７）で実質的に引張応力のみを受けるように前記フランジに対して前記上側および下側クランプシューを位置決めするべく、特に、下側クランプシュー中心（２８）を管壁中心（１４）から壁間隔（ｙ）だけ離間させるべく、当該クランプ装置を前記管壁（１３）に対して配置するためのストッパ面（２３，２５）を備える、請求項１または２に記載のクランプ装置。
【請求項４】
径方向で見て、結合手段中心（２６）が、結合手段梃長さ（ａ）だけ前記ヒンジ軸線（８）から離間され、上側クランプシュー中心（２７）が、上側クランプシュー梃長さ（ｂ）だけ前記ヒンジ軸線（８）から離間され、前記下側クランプシュー中心（２８）が、クランプシュー間隔（ｘ）だけ前記上側クランプシュー中心（２７）から離間され、前記結合手段梃長さ（ａ）と前記上側クランプシュー梃長さ（ｂ）との比率が、当該クランプ装置を用いて前記管状部材を吊り上げるときに前記フランジが前記管状部材の前記管壁との移行部分で実質的に引張応力のみを受けるために、前記壁間隔（ｙ）と前記クランプシュー間隔（ｘ）との比率に対応する、請求項３に記載のクランプ装置。
【請求項５】
当該クランプ装置を前記管状部材内で中心付けて前記管状部材の前記フランジと係合するために前記上側および下側クランプシューを位置決めするための複数のストッパ面（２３）を備える、請求項３または４に記載のクランプ装置。
【請求項６】
前記少なくとも２つのクランプ手段（２）のうちの少なくとも１つの前記第２のクランプ部材が、前記下側クランプシューを備えるとともに、前記クランプ装置フレーム（１０）とスライド可能に結合され、前記第２のクランプ部材が、前記フランジを通り過ぎて前記第２のクランプ部材を移動させるための収縮位置と、前記下側クランプシューが前記フランジの下面と対向するための伸長位置との間で当該クランプ装置の仮想外周面に対して径方向にスライドできる、請求項１〜５のいずれか一項に記載のクランプ装置。
【請求項７】
前記クランプ装置フレームが、前記第２のクランプ部材を少なくとも部分的に内部にスライド可能に受け入れるとともに、前記第２のクランプ部材が伸長位置にあるときに前記フランジをクランプするための力線を閉じるために前記第２のクランプ部材を前記クランプ装置フレームと結合させるための収容部を備える、請求項６に記載のクランプ装置。
【請求項８】
前記収容部が前記クランプ装置フレームと一体に形成される、請求項７に記載のクランプ装置。
【請求項９】
前記第１のクランプ部材が全体的に前記第２のクランプ部材よりも上方に延びる、請求項１〜８のいずれか一項に記載のクランプ装置。
【請求項１０】
前記管状部材を当該クランプ装置によって吊り上げる前に前記管状部材の前記フランジを前記下側および上側クランプシュー間で事前にクランプするために、前記第１および第２のクランプ部材の両方と結合されるアクチュエータを備える、請求項１〜９のいずれか一項に記載のクランプ装置。
【請求項１１】
前記アクチュエータが前記第１および第２のクランプ部材間に設けられる、請求項１０に記載のクランプ装置。
【請求項１２】
前記第１および第２のクランプ部材が下側および上側クランプシュー間で前記フランジをクランプするときに略平行に延びるように、前記第１および第２のクランプ部材を所定の距離だけ相互に離間させるための離間部材（２０）を備える、請求項１〜１１のいずれか一項に記載のクランプ装置。
【請求項１３】
前記距離が前記フランジのフランジ厚にほぼ対応する、請求項１２に記載のクランプ装置。
【請求項１４】
請求項１〜１３のいずれか一項に記載のクランプ装置と、そのフランジで前記クランプ装置とクランプされる前記管状部材とのアセンブリ。
【請求項１５】
請求項１〜１４のいずれか一項に記載のクランプ装置（１）を使用してフランジ付きの管状部材（１１）を吊り上げるための方法であって、
前記下側クランプシュー（１６）を前記管壁（１３）へ向けて径方向に移動させるステップを備える方法。
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
以下の化合物を列挙される質量パーセントで含み、
【表１】
2014502951.tif 000001
残りの元素組成が１質量パーセント未満である、ガラス組成物。
【請求項２】
以下の化合物を列挙される質量パーセントで含み、
【表２】
2014502951.tif 000002
残りの元素組成が１質量パーセント未満である、ガラス組成物。
【請求項３】
Ａｌ２Ｏ３／ＭｇＯの質量パーセント比が、２．３を超える、請求項１又は２に記載のガラス組成物。
【請求項４】
１３２０℃から１３７０℃の間の液相線温度を有する、請求項１〜３のいずれか一項に記載のガラス組成物。
【請求項５】
請求項１〜４のいずれか一項に記載のガラス組成物を使用することにより製造されるガラスであって、３．０×１０−６／℃から３．６×１０−６／℃の間のＣＴＥを有するガラス。
【請求項６】
請求項１〜４のいずれか一項に記載のガラス組成物を使用することにより製造されるガラス繊維製品であって、実質的に中空フィラメントを含まないガラス繊維製品。
【請求項７】
請求項１〜４のいずれか一項に記載のガラス組成物のガラス繊維を含むポリマー結合剤またはマトリックスを含む、プリント回路基板アセンブリ用の絶縁性ポリマー結合剤またはマトリックス。
【請求項８】
請求項１〜４のいずれか一項に記載のガラス組成物のガラス繊維を含む絶縁性ポリマー結合剤またはマトリックスと、その上に形成される回路パターンとを備える、プリント回路基板。
【請求項９】
以下の化合物を列挙される質量パーセントで含み、
【表３】
2014502951.tif 000003
残りが１質量パーセント未満の微量化合物である、ガラス繊維組成物と、
ポリマーマトリックスと
を含む透明グラスファイバ強化複合材物品であって、
ガラス繊維組成物が、ポリマーマトリックスの屈折率と０．００５未満異なる屈折率を有する、透明グラスファイバ強化複合材物品。
【請求項１０】
以下の化合物を列挙される質量パーセントで含み、
【表４】
2014502951.tif 000004
残りの元素組成が１質量パーセント未満である、ガラス繊維組成物と、
ポリマーマトリックスと
を含む透明グラスファイバ強化複合材物品であって、
ガラス繊維組成物が、ポリマーマトリックスの屈折率と０．００５未満異なる屈折率を有する、透明グラスファイバ強化複合材物品。
【請求項１１】
Ａｌ２Ｏ３／ＭｇＯの質量パーセント比が、２．３を超える、請求項９又は１０に記載の透明グラスファイバ強化複合材物品。
【請求項１２】
請求項１〜４のいずれか一項に記載のガラス組成物のガラス繊維を含む、フロントガラス、風防、天蓋、または透明材。
【請求項１３】
請求項９〜１１のいずれか一項に記載の透明グラスファイバ強化複合材物品を含む、フロントガラス、風防、天蓋、または透明材。
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
三次元撮像法により得られた強度データのデータセットを用いて人間組織又は動物組織において対象の、特に外科及び／又は診断装置の、移動に対する少なくとも１つの適用可能な経路を、セグメント化の結果の関数として移動の前記適用可能な経路を決定する前に、重要な構造を決定するためのセグメント化ステップをスキップして移動の前記適用可能な経路に対する直接的な探索を実行することによって、決定する方法において、移動の前記適用可能な経路が、前記装置の開始位置を規定された目標の場所とつなぎ、前記方法は、
前記装置の基準点の前記目標の場所を規定し、前記装置の前記基準点の少なくとも１つの可能な開始位置を選択するステップと、
対応する可能な開始位置と前記規定された目標の場所との間の移動の候補経路を決定するステップと、
移動の前記候補経路に沿った強度データから生じる局所的強度極値及び／又は強度変化に関する情報に依存して適用可能な経路であると移動の前記候補経路を評価するステップと、
を有する方法。
【請求項２】
移動の前記候補経路が、最短ルートに沿って前記可能な開始位置及び前記目標の場所をつなぐ移動の線形経路である、請求項１に記載の方法。
【請求項３】
移動の前記候補経路の各々の評価が、移動の前記候補経路の周りの領域における前記強度データの専門家の評価を考慮に入れる、請求項１に記載の方法。
【請求項４】
移動の前記候補経路の評価が、コンピュータシステムにより実行される自動評価である、請求項１に記載の方法。
【請求項５】
前記専門家の評価が、前記局所的強度極値及び／又は強度変化に関する対応する情報と一緒に、前記コンピュータシステムのトレーニングに対して使用される、請求項４に記載の方法。
【請求項６】
前記三次元撮像法が、磁気共鳴撮像法、核磁気共鳴撮像法、又は磁気共鳴断層撮影法である、請求項１に記載の方法。
【請求項７】
前記候補経路又は少なくとも前記候補経路の可能な開始位置を表示するステップを有する、請求項１に記載の方法。
【請求項８】
前記可能な開始位置の関心領域が、表示され、前記適用可能な経路の開始位置が、第１の色で表示され、他の経路の開始位置が、第２の色で表示される、請求項７に記載の方法。
【請求項９】
前記候補経路が、強度プロファイルとして表示される、請求項７に記載の方法。
【請求項１０】
前記強度プロファイルが、前記強度プロファイルの局所的極値の周りの領域の少なくとも１つの画像と関連して表示される、請求項７に記載の方法。
【請求項１１】
移動の所定の候補経路に対する局所的強度極値及び／又は強度変化に関する情報の許容可能な閾値が、移動の前記所定の候補経路の隣接した経路により決定される又は少なくとも部分的に決定される、請求項１に記載の方法。
【請求項１２】
前記強度及び／又は強度変化に関する情報が、移動の前記候補経路に沿った運動方向に垂直な前記装置の最大断面上の前記強度データを統合することにより計算される、請求項１に記載の方法。
【請求項１３】
請求項１ないし１２のいずれか一項に記載の方法をコンピュータに実行させる命令のセットを含む、記憶装置、フロッピーディスク、ＣＤ、ＤＶＤ，ブルーレイディスク又はランダムアクセスメモリのようなコンピュータ可読媒体。
【請求項１４】
請求項１ないし１２のいずれか一項に記載の方法を実行するように構成されるコンピュータ使用可能プログラムコードを含むコンピュータ使用可能媒体を有するコンピュータプログラムプロダクト。
【請求項１５】
処理ユニットと、メモリと、データインタフェースと、ディスプレイと、入力装置とを有するコンピュータシステムにおいて、請求項１ないし１２のいずれか一項に記載の方法を実行するコンピュータシステム。
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
GLP-1化合物、二価金属およびポリカチオン性化合物を含む粒子であって、前記粒子がコアおよび周囲層を含み、前記コアが前記GLP-1化合物および前記二価金属を含み、前記周囲層が前記ポリカチオン性化合物を含む、粒子。
【請求項２】
前記GLP-1化合物が、天然GLP-1、GLP-1のアナログ、GLP-1の誘導体、リラグルチド、セマグルチド、タスポグルチド、エクセナチド、リキシセナチド、アルビグルチド、デュラグルチド、または
Nε37-[2-[2-[2-[[2-[2-[2-[[(4S)-4-カルボキシ-4-[[4-[(19-カルボキシノナデカノイルアミノ)メチル]シクロヘキサンカルボニル]アミノ]ブタノイル]アミノ]エトキシ]エトキシ]アセチル]アミノ]エトキシ]エトキシ]アセチル]-[lmp7,Glu22,Arg26,Arg34,Lys37]-GLP-1-(7-37)-ペプチド、または
Nε26-[2-[2-[2-[[2-[2-[2-[[(4S)-4-カルボキシ-4-[10-(4-カルボキシフェノキシ)デカノイルアミノ]ブタノイル]アミノ]エトキシ]エトキシ]アセチル]アミノ]エトキシ]エトキシ]アセチル],Nε37-[2-[2-[2-[[2-[2-[2-[[(4S)-4-カルボキシ-4-[10-(4-カルボキシフェノキシ)デカノイルアミノ]ブタノイル]アミノ]エトキシ]エトキシ]アセチル]アミノ]エトキシ]エトキシ]アセチル]-[Aib8,Arg34,Lys37]-GLP-1-(7-37)-ペプチド、または
Nε26-[2-[2-[2-[[2-[2-[2-[[(4S)-4-カルボキシ-4-[12-(3-カルボキシフェノキシ)ドデカノイルアミノ]ブタノイル]アミノ]エトキシ]エトキシ]アセチル]アミノ]エトキシ]エトキシ]アセチル],Nε37-[2-[2-[2-[[2-[2-[2-[[(4S)-4-カルボキシ-4-[12-(3-カルボキシフェノキシ)ドデカノイルアミノ]ブタノイル]アミノ]エトキシ]エトキシ]アセチル]アミノ]エトキシ]エトキシ]アセチル]-[Aib8,Arg34,Lys37]-GLP-1-(7-37)-ペプチド
を含む、請求項1に記載の粒子。
【請求項３】
前記二価金属が、亜鉛(Zn)、カルシウム(Ca)、マンガン(Mn)またはマグネシウム(Mg)から選択される、請求項1または2に記載の粒子。
【請求項４】
前記ポリカチオン性化合物が、プロタミン、キトサン、キトサン誘導体、ポリリシンおよびポリアルギニンから選択される、請求項1から3のいずれか一項に記載の粒子。
【請求項５】
前記GLP-1化合物および前記二価金属が、均質な混合物を形成する、請求項1から4のいずれか一項に記載の粒子。
【請求項６】
前記コアが、プロタミンを実質的に含まない、請求項1に記載の粒子。
【請求項７】
水中に溶解もしくは懸濁したときに4と8.2との間のpHを有し、または、4と8.2との間のpHを有する組成物中に含まれる、請求項1から6のいずれか一項に記載の粒子。
【請求項８】
請求項1から7のいずれか一項に記載の粒子を含む医薬組成物。
【請求項９】
請求項1から7のいずれか一項に記載の粒子またはその医薬組成物を調製するための方法であって、GLP-1化合物の溶液を二価金属の溶液と混合する1つのステップ、およびポリカチオン性化合物の溶液をGLP-1化合物:金属混合物に加える1つのさらなるステップを含む、方法。
【請求項１０】
a)懸濁液を形成するために、塩の形態である前記二価金属の水溶液を前記GLP-1化合物の水溶液と混合するステップ、
b)塩の形態である前記ポリカチオン性化合物の水溶液、および水性緩衝溶液をステップa)から得た前記懸濁液に加えるステップであって、前記緩衝液は前記ポリカチオン性化合物より前に加えられる、前記ポリカチオン性化合物の水溶液および水性緩衝溶液を加えるステップ、
c)ステップb)から得た混合物に水を加えるステップ
を含む、請求項9に記載の方法。
【請求項１１】
前記混合するステップa)において、前記GLP-1化合物の水溶液を前記金属塩の水溶液の水面下に加え、かつ/または、前記GLP-1化合物の水溶液がアルカリ性のpHを有し、前記金属塩の水溶液が酸性のpHを有する、請求項10に記載の方法。
【請求項１２】
医薬品として使用するための、請求項1から7のいずれか一項に記載の粒子または請求項8に記載の医薬組成物。
【請求項１３】
代謝性疾患の治療における医薬品として使用するための、請求項1から7のいずれか一項に記載の粒子または請求項8に記載の医薬組成物。
【請求項１４】
1日1回より少ない投与頻度で医薬品として使用するための、請求項1から7のいずれか一項に記載の粒子または請求項8に記載の医薬組成物。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
各々がフォトダイオード及びトランジスタを含んでいる複数の個別画素の配列を有するディジタルＸ線検出器において、前記個別画素の前記トランジスタに第１の電圧を印加する段階と、
前記第１の電圧よりも更に負である第２の電圧を、そのときサンプリングされていない前記個別画素の前記トランジスタに印加しながら、前記個別画素からデータをサンプリングすることによって、Ｘ線画像データの取得を準備する段階と、
線源からのＸ線を前記検出器で受ける段階と、
そのときサンプリングされていない前記個別画素の前記トランジスタに前記第２の電圧を印加しながら、前記個別画素からＸ線画像データをサンプリングする段階と、
有するＸ線イメージング方法。
【請求項２】
Ｘ線画像データからユーザー観察可能な画像を再構成する際に使用するために、Ｘ線を受ける前にサンプリングされたデータを保存する段階を有している請求項１記載の方法。
【請求項３】
前記第１及び第２の電圧は前記トランジスタを非導電状態に維持する、請求項１または２に記載の方法。
【請求項４】
前記第２の電圧は、前記検出器によってＸ線を受けている間、そのときサンプリングされていない前記個別画素の前記トランジスタに印加される、請求項１乃至３のいずれかに記載の方法。
【請求項５】
前記個別画素からのＸ線画像データのサンプリングを終了し、前記検出器によるＸ線の受け取りの終了後に前記個別画素の前記トランジスタに前記第１の電圧を再印加する段階を有する請求項１乃至４のいずれかに記載の方法。
【請求項６】
前記第２の電圧は前記第１の電圧とは異なる、請求項１乃至５のいずれかに記載の方法。
【請求項７】
各々がフォトダイオード及びトランジスタを含んでいる複数の個別画素の配列を有するディジタルＸ線検出器において、Ｘ線を受ける前に前記個別画素の前記トランジスタに第１の電圧を印加する段階と、
前記第１の電圧よりも更に負である第２の電圧を、そのときサンプリングされていない前記個別画素の前記トランジスタに印加しながら、Ｘ線を受けている間に前記個別画素からデータをサンプリングする段階と、
を有するＸ線イメージング方法。
【請求項８】
Ｘ線の受け取りの終了後に前記個別画素の前記トランジスタに対する前記第１の電圧の印加を再開する段階を有する請求項７記載の方法。
【請求項９】
そのときサンプリングされていない前記個別画素の前記トランジスタに前記第２の電圧を印加しながら、前記個別画素からＸ線画像データをサンプリングする段階を有する請求項７または８に記載の方法。
【請求項１０】
前記Ｘ線画像データからユーザー観察可能な画像を再構成する際に使用するために、Ｘ線を受ける前にサンプリングされたデータを保存する段階を有している請求項９記載の方法。
【請求項１１】
前記第１及び第２の電圧は前記トランジスタを非導電状態に維持する、請求項７乃至１０のいずれかに記載の方法。
【請求項１２】
前記第２の電圧は前記第１の電圧とは異なる、請求項７乃至１１のいずれかに記載の方法。
【請求項１３】
各々がフォトダイオード及びトランジスタを含んでいる複数の個別画素の配列を有するディジタルＸ線検出器と、
前記個別画素の前記トランジスタに第１の電圧を印加し、次いでＸ線画像データの取得の準備のために、前記第１の電圧よりも更に負である第２の電圧を、そのときサンプリングされていない前記個別画素の前記トランジスタに印加し、次いでそのときサンプリングされていない前記個別画素の前記トランジスタに前記第２の電圧を印加しながら、Ｘ線を受けている間に前記個別画素からデータをサンプリングするように構成されている検出器制御回路と、
を有するＸ線イメージング・システム。
【請求項１４】
前記検出器制御回路は、Ｘ線の受け取りの終了後に前記個別画素の前記トランジスタに対する前記第１の電圧の印加を再開するように構成されている、請求項１３記載のシステム。
【請求項１５】
前記検出器制御回路は、そのときサンプリングされていない前記個別画素の前記トランジスタに前記第２の電圧を印加しながら、前記個別画素からＸ線画像データをサンプリングするように構成されている、請求項１３または１４に記載のシステム。
【請求項１６】
前記検出器制御回路は、前記Ｘ線画像データからユーザー観察可能な画像を再構成する際に使用するために、Ｘ線を受ける前にサンプリングされたデータを保存するように構成されている、請求項１５記載のシステム。
【請求項１７】
前記第１及び第２の電圧は前記トランジスタを非導電状態に維持する、請求項１３乃至１６のいずれかに記載のシステム。
【請求項１８】
前記第２の電圧は前記第１の電圧とは異なる、請求項１３乃至１７のいずれかに記載のシステム。
【請求項１９】
前記検出器は前記検出器制御回路を有している、請求項１３乃至１９のいずれかに記載のシステム。
【請求項２０】
前記検出器制御回路は、トランジスタ漏洩を低減するように構成されている、請求項１３乃至１９のいずれかに記載のシステム。
【請求項２１】
各々がフォトダイオード及びトランジスタを含んでいる複数の個別画素の配列と、
前記個別画素の前記トランジスタに第１の電圧を印加し、次いでＸ線画像データの取得の準備のために、前記第１の電圧よりも更に負である第２の電圧を、そのときサンプリングされていない前記個別画素の前記トランジスタに印加し、次いでそのときサンプリングされていない前記個別画素の前記トランジスタに前記第２の電圧を印加しながら、Ｘ線を受けている間に前記個別画素からデータをサンプリングするように構成されている検出器制御回路と、
を有するディジタルＸ線検出器。
【手続補正書】
【提出日】平成26年12月2日(2014.12.2)
【手続補正１】
【補正対象書類名】明細書
【補正対象項目名】００４６
【補正方法】変更
【補正の内容】
【００４６】
阻止用突起部１６．１は、自動注射器１の使用者に薬剤Ｍの用量を注射するために必要な一連の動作を適切な順序で実行させる中央陥凹部を備える。患者の皮膚に向かって針シュラウド３を押すことによって、針シュラウド３が前進位置ＰＡから後退位置ＰＲに向かって遠位方向に移動する（図３参照）前に、解除要素７が内側に押される場合、内向きの突起部７．１は、阻止用突起部１６．１の中央陥凹部に保持され、それによって針シュラウド３の長手方向の変位と解除要素７の旋回運動の両方が阻止される。
【手続補正書】
【提出日】平成26年12月8日(2014.12.8)
【手続補正１】
【補正対象書類名】明細書
【補正対象項目名】００７５
【補正方法】変更
【補正の内容】
【００７５】
本実施態様において、カートリッジ２００は保持キャップ２１０に、特に、その遠位端２２６で、嵌入される。保持キャップ２１０はカートリッジ２００に取り付けられる別個の断片であり得るか又はカートリッジ２００の部分として成形され得る。ネック１２６、シール１２７及び／又はフェルール１２３は保持キャップ２１０によって覆われ得る。カートリッジの上面図において、保持キャップ２１０はシール１２７の少なくとも中央部分を曝し得る。一つの展開において、保持キャップ２１０には、ねじのような、ニードルアセンブリ用の連結機構が供され得る。
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
生ウイルスの少なくとも１つの型の存在を検出するための方法であって、
試料を、（ｉ）生ウイルス粒子が複製できる培養されたウシ細胞を含むアッセイプレート、および（ｉｉ）細胞を含まない対応する参照プレート中に希釈すること；
少なくとも１つの試料希釈物からの核酸を、少なくとも１つのウイルス特異的プライマー／プローブセットと接触させること、前記ウイルス特異的プライマー／プローブセットは、ウイルス特異的フォワードオリゴヌクレオチド増幅プライマー、ウイルス特異的リバースオリゴヌクレオチド増幅プライマー、およびウイルス特異的オリゴヌクレオチド検出プローブを含む；
少なくとも１つのサイクルステップを実施すること、前記少なくとも１つのサイクルステップは、定量的リアルタイムポリメラーゼ連鎖反応（ｑＰＣＲ）を使用して実施される；
前記少なくとも１つのウイルス特異的プライマー／プローブセットは、複数のウシウイルス粒子から得たポリヌクレオチドの集団においてウイルス特異的ポリヌクレオチドの存在を検出するのに有用である；
前記複数のウシウイルス粒子は、少なくとも１つのＢＶＤＶ１ｂ型ウイルス粒子を含む；
ここで、参照プレートからの核酸の存在下でのウイルス特異的オリゴヌクレオチド検出プローブからの信号と比較して、より高いレベルのアッセイプレートからの核酸の存在下でのウイルス特異的オリゴヌクレオチド検出プローブからの信号は、試料中の生ウシウイルスの存在を示す
を含む、方法。
【請求項２】
少なくとも１つのウイルス特異的プライマー／プローブセットが、ＢＨＶ−１、ＰＩ３、およびＢＶＤＶからなる群から選択されるウシウイルスに特異的である、請求項１に記載の方法。
【請求項３】
ＢＶＤＶが、ＢＶＤＶ１ａ型、ＢＶＤＶ１ｂ型、およびＢＶＤＶ２型の１つ以上を含む、請求項２に記載の方法。
【請求項４】
少なくとも１つのウイルス特異的プライマー／プローブセットが、
配列番号１、配列番号７、配列番号１０、配列番号１３、および配列番号１６からなる群から選択されるヌクレオチド配列を含む、約５０未満の長さのヌクレオチドのウイルス特異的フォワードオリゴヌクレオチド増幅プライマー、
配列番号２、配列番号８、配列番号１１、配列番号１４、および配列番号１７からなる群から選択されるヌクレオチド配列を含む、約５０未満の長さのヌクレオチドのウイルス特異的リバースオリゴヌクレオチド増幅プライマー、ならびに
配列番号３、配列番号９、配列番号１２、配列番号１５、および配列番号１８からなる群から選択されるヌクレオチド配列を含む、約５０未満の長さのヌクレオチドのウイルス特異的オリゴヌクレオチド検出プローブ
を含む、請求項１に記載の方法。
【請求項５】
少なくとも１つのウイルス特異的プライマー／プローブセットが：
（ａ）配列番号１、配列番号２、および配列番号３のヌクレオチド配列；
（ｂ）配列番号７、配列番号８、および配列番号９のヌクレオチド配列；
（ｃ）配列番号１０、配列番号１１、および配列番号１２のヌクレオチド配列；
（ｄ）配列番号１３、配列番号１４、および配列番号１５のヌクレオチド配列；ならびに
（ｅ）配列番号１６、配列番号１７、および配列番号１８のヌクレオチド配列
からなる群から選択される、請求項１に記載の方法。
【請求項６】
ウイルス特異的ポリヌクレオチドが、ＢＨＶ−１、ＰＩ３、およびＢＶＤＶからなる群から選択されるウシウイルスに特異的である、請求項１に記載の方法。
【請求項７】
ＢＶＤＶが、ＢＶＤＶ１ａ型、ＢＶＤＶ１ｂ型、およびＢＶＤＶ２型の１つ以上を含む、請求項６に記載の方法。
【請求項８】
複数のウシウイルス粒子が、ＢＶＤＶ−１ａ、ＢＶＤＶ−２、ＢＨＶ−１、ＰＩ３、またはＢＲＳＶウイルス粒子からなる群から選択される少なくとも１つのウシウイルス粒子をさらに含む、請求項１に記載の方法。
【請求項９】
複数のウシウイルス粒子が、ＢＶＤＶ−１ａ、ＢＶＤＶ−２、ＢＨＶ−１、ＰＩ３、またはＢＲＳＶウイルス粒子からなる群から選択される少なくとも２の異なるウシウイルス粒子をさらに含む、請求項８に記載の方法。
【請求項１０】
複数のウシウイルス粒子が、複数の修飾された生ウシウイルス粒子を含み；
少なくとも１つのＢＶＤＶ１ｂ型ウイルス粒子が、修飾された生ウイルス粒子である
請求項１に記載の方法。
【請求項１１】
複数の修飾された生ウシウイルス粒子が、ＢＶＤＶ−１ａ、ＢＶＤＶ−２、ＢＨＶ−１、ＰＩ３、またはＢＲＳＶウイルス粒子からなる群から選択される少なくとも１つの修飾された生ウシウイルス粒子をさらに含む、請求項１０に記載の方法。
【請求項１２】
複数の修飾された生ウシウイルス粒子が、ＢＶＤＶ−１ａ、ＢＶＤＶ−２、ＢＨＶ−１、ＰＩ３、またはＢＲＳＶウイルス粒子からなる群から選択される少なくとも２の異なる修飾された生ウシウイルス粒子をさらに含む、請求項１０に記載の方法。
【請求項１３】
複数の修飾された生ウシウイルス粒子が、ＢＶＤＶ−１ａ、ＢＶＤＶ−２、ＢＨＶ−１、ＰＩ３、またはＢＲＳＶウイルス粒子からなる群から選択される少なくとも２の異なる修飾された生ウシウイルス粒子をさらに含む、請求項１１に記載の方法。
【請求項１４】
試料が、哺乳動物ワクチン内に含まれる修飾された生ウシウイルス粒子を含む、請求項１に記載の方法。
【請求項１５】
哺乳動物ワクチンがウシ呼吸器病症候群（ＢＲＤＣ）または輸送熱ワクチンである、請求項１４に記載の方法。
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
被験者における感染状態または活性を評価するためのキットの製造のための、リンパ球性脈絡髄膜炎ウイルス（ＬＣＭＶ）結合抗体または抗体断片の使用であって、
評価する被験者を選択する工程を含み、前記被験者はＬＣＭＶに晒されたおよび／または増加したＬＣＭＶ活性のリスクがあり、さらに
前記被験者からサンプルを得る工程、
ＬＣＭＶを検出するための少なくとも１つの組成物でサンプルを接触させる工程、および
前記ＬＣＭＶを検出するための少なくとも１つの組成物がサンプルからＬＣＭＶのマーカに関連付けられるか否かを判断する工程を備え、関連付けられることの検出は前記被験者がＬＣＭＶに感染しているおよび／または活性ＬＣＭＶを有することを示し、
前記少なくとも１つの組成物は、少なくとも一つのＬＣＭＶ結合抗体または抗体断片を含み、
前記抗体または抗体断片は、
ベルギーのGhent UniversityのBelgian Coordinated Collections of Microorganisms (BCCM)に寄託されたハイブリドーマＭＪ３、ＬＭＢＰ受領番号９２１７ＣＢによって産出された抗体またはその抗体断片、ここで該抗体またはその抗体断片はＬＣＭＶ  ＮＰに特異的に結合し、
ベルギーのGhent UniversityのBelgian Coordinated Collections of Microorganisms (BCCM)に寄託されたハイブリドーマＭ１６６、ＬＭＢＰ受領番号９２１６ＣＢによって産出された抗体またはその抗体断片、ここで該抗体またはその抗体断片はＬＣＭＶ  ＺＰに特異的に結合し、および
ＳＥＱ  ＩＤ  ＮＯ：７４に対して９５％以上のアミノ酸配列同一性を有するモノクローナル抗体Ｍ８７の重鎖可変領域を含む抗体またはその抗体断片、ここでＳＥＱ  ＩＤ  ＮＯ：７４内の相補性決定領域に対応するアミノ酸配列内の領域は、ゼロまたは１つ以上の保守的アミノ酸置換を含み、該抗体またはその抗体断片はＬＣＭＶ  ＮＰに特異的に結合し、
からなる群より選択される、使用。
【請求項２】
前記判断は、前記被験者に対しておよび／または被験者に関連する医療実務者に対して、前記被験者がＬＣＭＶに感染しているおよび／または活性ＬＣＭＶを有することを報告する工程を含む、請求項１に記載の使用。
【請求項３】
前記判断は、ＬＣＭＶに感染しているおよび／または活性ＬＣＭＶを有する被験者の、ＬＣＭＶのレベルおよび／または活性を検出する工程をさらに含む、請求項１に記載の使用。
【請求項４】
前記被験者に対しておよび／または被験者に関連する医療実務者に対して、検出したＬＣＭＶのレベルおよび／または活性を報告する工程をさらに含む、請求項３に記載の使用。
【請求項５】
増加したＬＣＭＶ活性のリスクを有する被験者は、低酸素状態に伴う症状のリスクがある、請求項１に記載の使用。
【請求項６】
前記被験者は妊娠している、免疫不全である、移植レシピエントである、癌を発症するリスクがある、または癌を患っている、請求項５に記載の使用。
【請求項７】
前記モノクローナル抗体Ｍ８７の重鎖可変領域は、ゼロまたは１つ以上の保守的アミノ酸置換を含む、ＣＤＲ３（ＳＥＱ  ＩＤ  ＮＯ：７８）を含む、請求項１〜６のいずれか１項に記載の使用。
【請求項８】
前記モノクローナル抗体Ｍ８７の重鎖可変領域は、ゼロまたは１つ以上の保守的アミノ酸置換を含む、ＣＤＲ２（ＳＥＱ  ＩＤ  ＮＯ：７７）を含む、請求項７に記載の使用。
【請求項９】
前記モノクローナル抗体Ｍ８７の重鎖可変領域は、ゼロまたは１つ以上の保守的アミノ酸置換を含む、ＣＤＲ１（ＳＥＱ  ＩＤ  ＮＯ：７６）を含む、請求項８に記載の使用。
【請求項１０】
前記モノクローナル抗体Ｍ８７の重鎖可変領域は、モノクローナル抗体Ｍ８７の重鎖可変領域のＣＤＲ３（ＳＥＱ  ＩＤ  ＮＯ：７８）を含む、請求項１〜６のいずれか１項に記載の使用。
【請求項１１】
前記モノクローナル抗体Ｍ８７の重鎖可変領域は、モノクローナル抗体Ｍ８７の重鎖可変領域のＣＤＲ２（ＳＥＱ  ＩＤ  ＮＯ：７７）を含む、請求項１０に記載の使用。
【請求項１２】
前記モノクローナル抗体Ｍ８７の重鎖可変領域は、モノクローナル抗体Ｍ８７の重鎖可変領域のＣＤＲ１（ＳＥＱ  ＩＤ  ＮＯ：７６）を含む、請求項１１に記載の使用。
【請求項１３】
サンプルにおけるリンパ球性脈絡髄膜炎ウイルス（ＬＣＭＶ）感染状態または活性を評価するための診断キットであって、前記キットは、
少なくとも一つのＬＣＭＶ結合抗体または抗体断片を含み、
前記抗体または抗体断片は、
ベルギーのGhent UniversityのBelgian Coordinated Collections of Microorganisms (BCCM)に寄託されたハイブリドーマＭＪ３、ＬＭＢＰ受領番号９２１７ＣＢによって産出された抗体またはその抗体断片、ここで該抗体またはその抗体断片はＬＣＭＶ  ＮＰに特異的に結合し、
ベルギーのGhent UniversityのBelgian Coordinated Collections of Microorganisms (BCCM)に寄託されたハイブリドーマＭ１６６、ＬＭＢＰ受領番号９２１６ＣＢによって産出された抗体またはその抗体断片、ここで該抗体またはその抗体断片はＬＣＭＶ  ＺＰに特異的に結合し、および
ＳＥＱ  ＩＤ  ＮＯ：７４に対して９５％以上のアミノ酸配列同一性を有するモノクローナル抗体Ｍ８７の重鎖可変領域を含む抗体またはその抗体断片、ここでＳＥＱ  ＩＤ  ＮＯ：７４内の相補性決定領域に対応するアミノ酸配列内の領域は、ゼロまたは１つ以上の保守的アミノ酸置換を含み、該抗体またはその抗体断片はＬＣＭＶ  ＮＰに特異的に結合し、
からなる群より選択される、キット。
【請求項１４】
前記モノクローナル抗体Ｍ８７の重鎖可変領域は、ゼロまたは１つ以上の保守的アミノ酸置換を含む、モノクローナル抗体Ｍ８７の重鎖可変領域のＣＤＲ３（ＳＥＱ  ＩＤ  ＮＯ：７８）を含む、請求項１３に記載のキット。
【請求項１５】
前記モノクローナル抗体Ｍ８７の重鎖可変領域は、ゼロまたは１つ以上の保守的アミノ酸置換を含む、モノクローナル抗体Ｍ８７の重鎖可変領域のＣＤＲ２（ＳＥＱ  ＩＤ  ＮＯ：７７）を含む、請求項１４に記載のキット。
【請求項１６】
前記モノクローナル抗体Ｍ８７の重鎖可変領域は、ゼロまたは１つ以上の保守的アミノ酸置換を含む、モノクローナル抗体Ｍ８７の重鎖可変領域のＣＤＲ１（ＳＥＱ  ＩＤ  ＮＯ：７６）を含む、請求項１５に記載のキット。
【請求項１７】
前記モノクローナル抗体Ｍ８７の重鎖可変領域は、モノクローナル抗体Ｍ８７の重鎖可変領域のＣＤＲ３（ＳＥＱ  ＩＤ  ＮＯ：７８）を含む、請求項１３に記載のキット。
【請求項１８】
前記モノクローナル抗体Ｍ８７の重鎖可変領域は、モノクローナル抗体Ｍ８７の重鎖可変領域のＣＤＲ２（ＳＥＱ  ＩＤ  ＮＯ：７７）を含む、請求項１７に記載のキット。
【請求項１９】
前記モノクローナル抗体Ｍ８７の重鎖可変領域は、モノクローナル抗体Ｍ８７の重鎖可変領域のＣＤＲ１（ＳＥＱ  ＩＤ  ＮＯ：７６）を含む、請求項１８に記載のキット。
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
プロバイオティクス果実飲料の製造方法であって、
(a)少なくとも１種のプロバイオティクス細菌株を増殖中に酸適応化させ、
(b)工程(a)で得られた少なくとも１種の酸適応プロバイオティクス細菌株を、果実飲料中に接種し、
(c)任意により、プロバイオティクス果実飲料として包装する、
ことを含む、製造方法。
【請求項２】
工程(a)が、
(i) 少なくとも１種の酸適応プロバイオティクス細菌株を、pH安定剤の非存在下、25℃から43℃の範囲で、好ましくは25℃から40℃の範囲で、初期pH値が約6.0〜約7.0である好適な培地中で増殖させ、ここで当該培地は、当該培地のpH値を約5.0〜約4.0まで到達させることが可能な組成を有し、
(ii) 少なくとも１種の酸適応プロバイオティクス細菌株を回収し、
(iii)任意により、少なくとも１種の酸適応プロバイオティクス細菌株を濃縮し、
及び、
(iv)任意により、少なくとも１種の酸適応プロバイオティクス細菌株を凍結又は凍結乾燥する、
ことを含む、請求項１の方法。
【請求項３】
工程(i)における前記培地が、少なくとも2%の糖及び0.4%の酵母抽出物を含む、請求項２の方法。
【請求項４】
工程(b)において、少なくとも１種の酸適応プロバイオティクス細菌株の含有量（果実飲料１ｍｌ当たりの初期ＣＦＵ値）が、果実飲料１ｍｌ当たり１×１０4〜１×１０10ＣＦＵ、より好ましくは１×１０5〜１×１０9ＣＦＵ、さらに好ましくは１×１０6〜１×１０8ＣＦＵとなるように接種される、請求項１〜３の何れか１項の方法。
【請求項５】
最低３０日間、例えば最低４２日間又は最低７０日間、８℃で保存後の少なくとも１種の酸適応プロバイオティクス細菌株の生存率が、果実飲料１ｍｌ当たりの初期ＣＦＵ値に対し少なくとも50％である、請求項１〜３の何れか１項の方法。
【請求項６】
プロバイオティクス果実飲料のｐＨ値が3.5〜4.2、例えば3.5〜3.9の範囲内である、請求項１〜５の何れか１項の方法。
【請求項７】
少なくとも１種のプロバイオティクス細菌株が、ラクトバシラス（Lactobacillus）及びビフィドバクテリウム（Bifidobacterium）から成る群から選ばれる、請求項１〜６の何れか１項の方法。
【請求項８】
プロバイオティック果実飲料は果実ジュース又は果実ピューレの重量の20％〜99％である、請求項１〜７の何れか１項の製造方法。
【請求項９】
請求項１〜８の何れか１項の方法により得られる、プロバイオティクス果実飲料。
【請求項１０】
最低３０日間、８℃の条件下で保存後、少なくとも１種の酸適応プロバイオティクス細菌株の含有量（果実飲料１ｍｌ当たりの初期ＣＦＵ値）が、果実飲料１ｍｌ当たり１×１０4〜１×１０10ＣＦＵ、より好ましくは１×１０5〜１×１０9ＣＦＵ、さらに好ましくは１×１０6〜１×１０8ＣＦＵである、請求項９のプロバイオティクス果実飲料。
【請求項１１】
酸適応プロバイオティクス細菌株の培養菌を得る方法であって、
(a)プロバイオティクス細菌株を、pH安定剤の非存在下、25℃から43℃の範囲、好ましくは25℃から40℃の範囲の温度で、初期pH値が約6.0〜約7.0である好適な培地中で増殖させ、ここで当該培地は、当該培地のpH値を約5.0〜約4.0まで到達させることが可能な組成を有し、
(b)細胞を回収し、
(c)任意により、細胞を濃縮し、
(d)任意により、凍結又は凍結乾燥を行う
ことを含む、方法。
【請求項１２】
工程(a)における前記培地が、少なくとも2%の糖及び0.4%の酵母抽出物を含む、請求項１１の方法。
【請求項１３】
少なくとも１種のプロバイオティクス細菌株が、ラクトバシラス（Lactobacillus）及びビフィドバクテリウム（Bifidobacterium）属から成る群から選ばれる、請求項１１又は１２の何れか１項の方法。
【請求項１４】
請求項１１〜１３の方法により得られる、酸適応プロバイオティクス細菌株の培養物。
【請求項１５】
請求項１４の酸適応プロバイオティクス細菌株の培養物の、プロバイオティクス果実飲料の製造のための使用。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
１種又は複数種の肉を挽いて、肉スラリーを作製するステップと、
１種又は複数種のフラワーを混ぜ合わせて、粉ブレンドを作製するステップと、
前記肉スラリーと前記粉ブレンドとを混ぜ合わせて、生地を作製するステップと、
前記生地を５０ｋＪ／ｋｇ〜５００ｋＪ／ｋｇの範囲のせん断機械的エネルギー、及び６０℃〜１２０℃の範囲の温度で押出して、類似食品を作製するステップとを含む、
類似食品を製造する方法。
【請求項２】
前記類似食品を断片にカットして、類似食品断片を作製するステップをさらに含む、請求項１に記載の方法。
【請求項３】
着色された類似食品を作製するために、前記肉スラリーに１種又は複数種の着色料を添加するステップをさらに含む、請求項１に記載の方法。
【請求項４】
着色された類似食品を作製するために、前記粉ブレンドに１種又は複数種の着色料を添加するステップをさらに含む、請求項１に記載の方法。
【請求項５】
混ぜ合わされた前記肉スラリー及び粉ブレンドに１種又は複数種の着色料を添加して、着色された類似食品を作製するステップをさらに含む、請求項１に記載の方法。
【請求項６】
前記着色料が、前記生地の押出し中に添加される、請求項５に記載の方法。
【請求項７】
着色された類似食品を作製するために、前記肉スラリー、粉ブレンド、混ぜ合わされた肉スラリー及び粉ブレンド、又はこれらの組み合わせに、１種又は複数種の着色料を添加するステップをさらに含む、請求項１に記載の方法。
【請求項８】
前記類似食品が肉類似品であり、前記着色料が、（１）暗い赤色の外観を有する、着色された肉類似品を作製するためのアゾルビン、（２）明るい赤色の外観を有する、着色された肉類似品を作製するための、パプリカとオレオレジンとの組み合わせ、（３）ピンク色の外観を有する、着色された肉類似品を作製するための、二酸化チタンと、アルラレッドと、キサントゲン酸エステルとの組み合わせ、（４）白色の外観を有する、着色された肉類似品を作製するための、二酸化チタンとキサントゲン酸エステルとの組み合わせ、（５）暗い茶色の外観を有する、着色された肉類似品を作製するための、家禽肉の脂肪と、血漿粉末と、キシロースと、モノグルタミン酸ナトリウムとの組み合わせ、又は（６）明るい茶色の外観を有する、着色された肉類似品を作製するための、乾燥卵黄と、カラメル色素と、デンプンとの組み合わせである、請求項７に記載の方法。
【請求項９】
前記類似食品が非肉類似食品であり、前記着色料が、（１）オレンジ色の外観を有する非肉類似食品を作製するための、カタキサンチンとキサントゲン酸エステルとの組み合わせ、（２）黄色の外観を有する非肉類似食品を作製するための、乾燥卵黄とタートラジンとの組み合わせ、（３）明るい黄色の外観を有する非肉類似食品を作製するための、二酸化チタンとリボフラビンとの組み合わせ、（４）淡い緑色の外観を有する非肉類似食品を作製するための、銅クロロフィリンナトリウムと二酸化チタンとの組み合わせ、又は（５）緑色の外観を有する非肉類似食品を作製するための、タートラジンと、インジゴカルミンと、亜硝酸塩との組み合わせである、請求項７に記載の方法。
【請求項１０】
前記着色料が、魚の外観を有する類似食品を作製するための二酸化チタンである、請求項７に記載の方法。
【請求項１１】
押出し後に前記類似食品に１種又は複数種の着色料を添加して、着色料被覆類似食品を作製するステップをさらに含む、請求項１に記載の方法。
【請求項１２】
前記着色料被覆類似食品をカットして、着色料被覆類似食品の切断片を作製するステップをさらに含む、請求項１１に記載の方法。
【請求項１３】
着色料被覆類似食品の前記切断片を乾燥させるステップをさらに含む、請求項１２に記載の方法。
【請求項１４】
前記着色料被覆類似食品を乾燥させて、乾燥着色料被覆類似食品を作製するステップをさらに含む、請求項１１に記載の方法。
【請求項１５】
前記乾燥着色料被覆類似食品をカットして、着色料被覆類似食品断片を作製するステップをさらに含む、請求項１４に記載の方法。
【請求項１６】
前記生地が、３０〜７０重量％の前記肉スラリー、及び７０〜３０重量％の前記粉ブレンドを含む、請求項１に記載の方法。
【請求項１７】
前記生地に膨張剤を注入するステップをさらに含む、請求項１に記載の方法。
【請求項１８】
前記膨張剤が酵母である、請求項１７に記載の方法。
【請求項１９】
前記膨張剤が、ビール、バターミルク、ジンジャービール、ケフィア、サワー種スターター、ヨーグルト、ベーキングパウダー、ベーキングソーダ、リン酸一カルシウム、リン酸ナトリウムアルミニウム、酸性ピロリン酸ナトリウム、リン酸、重炭酸アンモニウム、重炭酸カリウム、酒石酸水素カリウム、炭酸カリウム、過酸化水素、亜酸化窒素及びこれらの組み合わせからなる群から選択される、請求項１７に記載の方法。
【請求項２０】
前記膨張剤が、前記生地の押出し中に前記生地内に注入される、請求項１７に記載の方法。
【請求項２１】
請求項１に記載の方法を用いて製造された類似食品。
【請求項２２】
肉と、フラワーと、着色料とを含有する肉類似品を含む肉類似食品であって、前記着色料が、（１）暗い赤色の外観を有する、着色された肉類似食品を作製するためのアゾルビン、（２）明るい赤色の外観を有する、着色された肉類似食品を作製するための、パプリカとオレオレジンとの組み合わせ、（３）ピンク色の外観を有する、着色された肉類似食品を作製するための、二酸化チタンと、アルラレッドと、キサントゲン酸エステルとの組み合わせ、（４）白色の外観を有する、着色された肉類似食品を作製するための、二酸化チタンとキサントゲン酸エステルとの組み合わせ、（５）暗い茶色の外観を有する、着色された肉類似食品を作製するための、家禽肉の脂肪と、血漿粉末と、キシロースと、モノグルタミン酸ナトリウムとの組み合わせ、（６）明るい黄色の外観を有する非肉類似食品を作製するための、二酸化チタンとリボフラビンとの組み合わせ、又は（７）明るい茶色の外観を有する、着色された肉類似食品を作製するための、乾燥卵黄と、カラメル色素と、デンプンとの組み合わせを含む、肉類似食品。